(57)【要約】      （修正有）【課題】ガソリン等の燃料を安全に備蓄する手段であって、貯蔵場所の省スペース化を実現すると共に、燃料を必要なときに手間なく使用可能な状態にできる、燃料貯蔵庫を提供する。【解決手段】燃料を入れた携行缶３４を貯蔵する燃料貯蔵庫１であって、左右何れか一方に傾斜する床部４と、床部上に配置され、携行缶を載置させる部位である棚部６と、傾斜の下端において床部と接続されかつ床部より低く窪んだ形状を成し、携行缶から漏れる燃料を溜める溜桝部１２と、溜桝部直上に配置され、内部の気体を排気する排気設備部１４と、床部の傾斜方向に向く貫通孔を備え、床部が成す傾斜の上方側に配置されるものと下方側に配置されるものとの高さを調整することによって、棚部における携行缶の載置部位が水平になるように、棚部を床部に固定する棚固定部２４と、を有する。【選択図】図２
2020112008.tif 000002
【特許請求の範囲】
【請求項１】
遮光性を備える不燃材で形成される箱体であり、燃料を入れた携行缶を貯蔵する燃料貯蔵庫であって、
手前側に開く観音開き型の扉部と、
前記箱体内部の底面であって、左右何れか一方に傾斜する床部と、
前記箱体内部かつ前記床部上に配置され、前記携行缶を載置させる部位であって、前記携行缶が手前側へ滑り落ちないようにするストッパー部を有する棚部と、
傾斜の下端において前記床部と接続され、かつ、前記床部より低く窪んだ形状を成し、前記携行缶から漏れる液体又は気体の前記燃料を溜めるための溜桝部と、
前記溜桝部直上に配置されると共に、前記箱体上部に備える排気口から前記箱体内部の気体を排気する排気設備部と、
前記箱体の側部かつ前記排気設備部の反対側に配置されると共に、前記箱体外部に配置され、消防関係法規によって定められる規格の引火防止用網部で形成される吸気口を有し、前記排気設備部による排気に応じ前記箱体外部の空気を吸気する吸気設備部と、
前記床部の傾斜方向に向く貫通孔を備え、前記床部が成す傾斜の上方側に配置されるものと下方側に配置されるものとの高さを調整することによって、前記棚部における前記携行缶の載置部位が水平になるように、前記棚部を前記床部に固定する棚固定部と、を有し、
前記ストッパー部の滑り落ち防止機能を解除した後、前記携行缶が手前側へ引き出されることを特徴とする燃料貯蔵庫。
【発明の詳細な説明】
【技術分野】
【０００１】
燃料を貯蔵する建造物の技術に関する。
【背景技術】
【０００２】
ガソリン等の燃料は、自動車等の移動手段や発電機・チェーンソー・ポンプの駆動エネルギーとなるため、非常時などこれら道具を必要とする時のために、ある程度の量を備蓄しておくことが必要である。
一方で燃料は、可燃性の性質を有しているため、保管には一定の危険や制約が伴う。
【０００３】
そのような背景下、従来、燃料等危険物の貯蔵・保管に関する技術についての研究・開発が盛んに行われており、例えば、特許文献１では、「人力で入出庫できないほどの重量のある貯蔵物を簡単に入出庫できる危険物貯蔵庫」が提案され、特許文献２では、「屋内に設置できる危険物貯蔵用倉庫及びその設置方法」が提案されている。
【先行技術文献】
【特許文献】
【０００４】
【特許文献１】特開２０１４−７４３０３号公報
【特許文献２】特開２０１０−１８０６６４号公報
【発明の概要】
【発明が解決しようとする課題】
【０００５】
しかしながら、上記の従来技術においては、必要時に備え、ある程度の量の燃料の安全な貯蔵と貯蔵場所の省スペース化との両立が難しく、また、貯蔵している燃料を必要なときに手間なく使用可能な状態にすることができないという問題点があった。
【０００６】
そこで本発明では、上記問題点に鑑み、ガソリン等の燃料を安全に備蓄する手段であって、貯蔵場所の省スペース化を実現すると共に、貯蔵する燃料を必要なときに手間なく使用可能な状態にすることができる燃料貯蔵庫を提供する。
【課題を解決するための手段】
【０００７】
開示する燃料貯蔵庫の一形態は、遮光性を備える不燃材で形成される箱体であり、燃料を入れた携行缶を貯蔵する燃料貯蔵庫であって、手前側に開く観音開き型の扉部と、前記箱体内部の底面であって、左右何れか一方に傾斜する床部と、前記箱体内部かつ前記床部上に配置され、前記携行缶を載置させる部位であって、前記携行缶が手前側へ滑り落ちないようにするストッパー部を有する棚部と、傾斜の下端において前記床部と接続され、かつ、前記床部より低く窪んだ形状を成し、前記携行缶から漏れる液体又は気体の前記燃料を溜めるための溜桝部と、前記溜桝部直上に配置されると共に、前記箱体上部に備える排気口から前記箱体内部の気体を排気する排気設備部と、前記箱体の側部かつ前記排気設備部の反対側に配置されると共に、前記箱体外部に配置され、消防関係法規によって定められる規格の引火防止用網部で形成される吸気口を有し、前記排気設備部による排気に応じ前記箱体外部の空気を吸気する吸気設備部と、前記床部の傾斜方向に向く貫通孔を備え、前記床部が成す傾斜の上方側に配置されるものと下方側に配置されるものとの高さを調整することによって、前記棚部における前記携行缶の載置部位が水平になるように、前記棚部を前記床部に固定する棚固定部と、を有し、前記ストッパー部の滑り落ち防止機能を解除した後、前記携行缶が手前側へ引き出されることを特徴とする。
【発明の効果】
【０００８】
開示する燃料貯蔵庫は、ガソリン等の燃料を安全に備蓄する手段であって、貯蔵場所の省スペース化を実現すると共に、貯蔵する燃料を必要なときに手間なく使用可能な状態にすることができる。
【図面の簡単な説明】
【０００９】
【図１】本実施の形態に係る燃料貯蔵庫の正面図である。
【図２】本実施の形態に係る燃料貯蔵庫の模式的正面断面図である。
【図３】本実施の形態に係る棚固定部の配置態様を説明する図である。
【図４】本実施の形態に係る吸気口（引火防止用網部）を表す図である。
【図５】本実施の形態に係る棚固定部を表す図である。
【発明を実施するための形態】
【００１０】
図面を参照しながら、本発明を実施するための形態について説明する。
（本実施の形態に係る燃料貯蔵庫の構造）
【００１１】
図１乃至５を用いて、本実施の形態に係る燃料貯蔵庫（以下、単に「貯蔵庫」という。）１の構造について説明する。図１は、貯蔵庫１の正面図であり、図２は、貯蔵庫１の模式的断面図であり、図３及び５は、棚固定部２４を説明する図であり、図４は、吸気設備部１８を説明する図である。
【００１２】
図１で示すように、貯蔵庫１は、遮光性を備える不燃材で形成される箱体であり、燃料３２を入れた携行缶３４を貯蔵するための建造物である。貯蔵庫１は、貯蔵する燃料３２に直射日光が当たることを避けるために、遮光性を備える材を使用する。不燃材は、強度を高めるために、例えば、鋼板であることが好適である。燃料３２としては、例えば、ガソリンが想定されるが、それ以外のものでも良い。
図１及び２で示すように、貯蔵庫１は、扉部２、床部４、棚部６、溜桝部１２、排気設備部１４、吸気設備部１８、棚固定部２４を有する。
図１で示すように、扉部２は、貯蔵庫１内部の空間を有効に活用するため、手前側２８に開く観音開き型の扉である。
【００１３】
図２で示すように、床部４は、貯蔵庫１内部の底面であって、左右何れか一方から他方に向けて傾斜する形状を成す。貯蔵庫１内部に載置させる携行缶３４から漏れる燃料３２は、空気より比重が大きく、より低い場所へ移動する性質が有るため、床部４の傾斜を利用して、所定の場所１２へ燃料３２を導くことができる。
【００１４】
図２で示すように、棚部６は、貯蔵庫１内部、かつ、床部４上に配置され、燃料３２を入れた携行缶３４を載置させる部位である。棚部６が備える棚は、何段あっても良いが、携行缶３４が容易に動かないように、各段水平になっていることが好適である。
【００１５】
また、棚部６は、載置させた携行缶３４が手前側２８へ滑り落ちないようにするストッパー部８を有する。ストッパー部８は、棚部６の手前側２８に配置されると共に、上下に移動可能であるため、上位置にあるときは、携行缶３４の手前側２８への滑り落ち防止機能を発揮し、下位置にあるときは、当該滑り落ち防止機能が解除され、携行缶３４を手前側２８へ引き出すことができるようにする。なお、棚部６の奥側３０にも、携行缶３４の奥側３０への滑り落ちを防止する機構が備えられていても良い。このように貯蔵庫１は、ガソリン等の燃料３２を安全に、かつ、空間を有効に活用して備蓄することができると共に、貯蔵する燃料３２を必要なときに手間なく使用可能な状態にすることができる。
【００１６】
図２及び３で示すように、溜桝部１２は、床部４が成す傾斜の下端において床部４と接続され、かつ、床部４より低く窪んだ形状を成す部位である。溜桝部１２は、携行缶３４から漏れる液体又は気体の燃料３２を溜める（燃料３２を溜桝部１２の位置に留めておく）ための溜め枡である。携行缶３４から漏れた燃料３２は、床部４が成す傾斜に沿って溜桝部１２まで移動し、溜桝部１２内に留まる。
【００１７】
図２で示すように、排気設備部１４は、溜桝部１２直上に配置される。排気設備部１４は、貯蔵庫１上部に配置される排気口２０を有し、溜桝部１２内に溜まった燃料３２を含む溜桝部１２付近の気体を排気口２０から貯蔵庫１外へと排気する。排気設備部１４は、安全のために、常時、溜桝部１２付近の気体を貯蔵庫１外へと排気する（常時稼働させる）構成が好適である。
【００１８】
図２で示すように、吸気設備部１８は、貯蔵庫１の側部かつ排気設備部１４の反対側に配置される。図４で示すように、吸気設備部１８は、貯蔵庫１外部に配置される引火防止用網部２２で形成される吸気口１６を有し、排気設備部１４による排気に応じ貯蔵庫１外部の空気を貯蔵庫１内部へ吸気する。吸気設備部１８は、排気設備部１４の反対側に配置されることによって、貯蔵庫１内の一方端から他方端（溜桝部１２）に向けて空気の流れを作る。そのため、貯蔵庫１は、内部の換気を効率よくかつ十分に行うことができる。
【００１９】
図４で示すように、引火防止用網部２２は、貯蔵庫１内部へ火の粉が入り込まないようにする機能を有し、消防関係法規によって定められる規格を満たす目の細かい網によって形成される。
【００２０】
図５で示すように、棚固定部２４は、中央に、床部４が成す傾斜方向に向いている貫通孔２６を有し、例えば、コの字型又はロの字型を成す。棚固定部２４は、棚部６（棚部６の脚部１０）を床部４に固定するための部位である。
【００２１】
棚固定部２４は、床部４が成す傾斜に対し、棚部６における携行缶３４の載置部位が水平になるように、棚固定部２４の高さによって棚部６左右の高さを調整する部位である。棚固定部２４は、例えば、床部４が成す傾斜の上方側及び下方側にそれぞれ配置され、上方側に配置されるものと下方側に配置されるものとの高さを調整することによって、棚部６における携行缶３４の載置部位が水平になるようにする構成でも良い。
【００２２】
また、床部４が成す傾斜の上方側において棚部６が床部４に直接固定される場合、棚固定部２４は、床部４が成す傾斜の下方側にのみ配置され、棚固定部２４の高さを調整することによって、棚部６における携行缶３４の載置部位が水平になるようにする構成でも良い。
【００２３】
図３及び５で示すように、棚固定部２４は、携行缶３４から漏れた燃料３２の床部４上の移動を妨げないように、中央に備わる貫通孔２６が、床部４の成す傾斜方向に向くように設置される。
【００２４】
上記構成に基づいて、貯蔵庫１は、ガソリン等の燃料３２を安全に備蓄する手段であって、貯蔵場所の省スペース化を実現すると共に、貯蔵する燃料３２を必要なときに手間なく使用可能な状態にすることができる。
（本実施の形態に係る燃料貯蔵庫の使用方法）
【００２５】
図１乃至５を用いて、貯蔵庫１の使用方法について説明する。図１及び２で示すように、使用者は、扉部２を手前側２８に開け、ストッパー部８を下位置にした棚部６に、ガソリン等の燃料３２を充填した携行缶３４を載置させる。その後、使用者は、ストッパー部８を上位置にし、扉部２を奥側３０へ閉じて、貯蔵庫１内に燃料３２を保管する。
【００２６】
図１乃至５で示すように、貯蔵庫１において、燃料３２の保管時、排気設備部１４・吸気設備部１８によって常時貯蔵庫１内部の換気が行われる。こうすることによって、貯蔵庫１内部に燃料３２が充満し、発火・爆発するリスクが低減される。
【００２７】
図１及び２で示すように、使用者は、貯蔵庫１内に貯蔵する燃料３２を必要とする場合、扉部２を手前側２８に開いた後、ストッパー部８を下位置にする。その後、使用者は、棚部６上に載置される携行缶３４を手前側２８に引き出し、扉部２を開けて形成される開口部から貯蔵庫１外部へ携行缶３４を取り出す。このように、使用者は、貯蔵庫１から貯蔵する燃料３２（携行缶３４）を容易に取り出すことができる。
使用者は、その後、貯蔵庫１から取り出した携行缶３４に充填される燃料３２を使用することができる。
【００２８】
上記のように、使用者は、貯蔵庫１によって、ガソリン等の燃料３２を安全かつ小さな空間に備蓄することができると共に、貯蔵する燃料３２を必要なときに手間なく使用可能な状態にすることができる。
【００２９】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３０】
１    燃料貯蔵庫
２    扉部
４    床部
６    棚部
８    ストッパー部
１０  脚部
１２  溜桝部
１４  排気設備部
１６  排気口
１８  吸気設備部
２０  吸気口
２２  引火防止用網部
２４  棚固定部
２６  貫通孔
２８  手前側
３０  奥側
３２  燃料
３４  携行缶
【図１】
2020112008.tif 000003
【図２】
2020112008.tif 000004
【図３】
2020112008.tif 000005
【図４】
2020112008.tif 000006
【図５】
2020112008.tif 000007